(57)【特許請求の範囲】
【請求項１】
貨幣の識別を行う識別部と、
前記識別部により識別された貨幣、および前記識別部により識別されていない有価媒体を収納する収納部と、
前記収納部に収納される有価媒体に関する情報を入力するための入力部と、
を備え、
前記収納部には、有価媒体以外の金額に紐付けられない媒体も収納することができるようになっており、
前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっている、ことを特徴とする貨幣処理機。
【請求項２】
前記識別部による貨幣の識別結果、および前記入力部により入力された有価媒体に関する情報を区別可能に外部装置に送信する制御部を、さらに備えたことを特徴とする請求項１に記載の貨幣処理機。
【請求項３】
貨幣の識別を行う識別部と、
前記識別部により識別された貨幣、および前記識別部により識別されていない有価媒体を収納する収納部と、
第１の管理権限を有する管理者により、前記収納部に収納される有価媒体に関する情報を入力するための入力部と、
を備え、
前記収納部には、有価媒体以外の金額に紐付けられない媒体も収納することができるようになっており、
前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっている、ことを特徴とする貨幣処理機。
【請求項４】
前記識別部による貨幣の識別結果、および前記入力部により入力された有価媒体に関する情報を、第１の管理権限とは異なる第２の管理権限下の外部装置に送信する制御部を、さらに備えたことを特徴とする請求項３に記載の貨幣処理機。
【請求項５】
前記収納部に収納された貨幣および有価媒体は第２の管理権限下にあることを特徴とする請求項３記載の貨幣処理機。
【請求項６】
前記制御部は、前記識別部による貨幣の識別結果と、前記入力部により入力された有価媒体に関する情報とを区別して前記外部装置に送信することを特徴とする請求項４記載の貨幣処理機。
【請求項７】
前記制御部は、前記識別部による貨幣の識別結果と、前記収納部に収納されている貨幣および有価媒体の合計金額に係る情報とを区別して前記外部装置に送信することを特徴とする請求項４記載の貨幣処理機。
【請求項８】
前記制御部は、前記入力部により入力された有価媒体に関する情報と、前記収納部に収納されている貨幣および有価媒体の合計金額に係る情報とを区別して前記外部装置に送信することを特徴とする請求項４記載の貨幣処理機。
【請求項９】
前記収納部には、前記識別部により識別された貨幣、および前記識別部により識別されていない有価媒体が混合状態で収納されるようになっていることを特徴とする請求項１乃至８のいずれか一項に記載の貨幣処理機。
【請求項１０】
前記収納部は複数の収納部分から構成されており、前記識別部により識別された貨幣、および前記識別部により識別されていない有価媒体は互いに異なる収納部分に収納されるようになっていることを特徴とする請求項１乃至８のいずれか一項に記載の貨幣処理機。
【請求項１１】
貨幣の処理を行う貨幣処理機と、
前記貨幣処理機とは別に設けられ、当該貨幣処理機に通信接続された外部装置と、
を備えた貨幣処理システムであって、
前記貨幣処理機は、
貨幣の識別を行う識別部と、
前記識別部により識別された貨幣、および前記識別部により識別されていない有価媒体を収納する収納部と、
前記収納部に収納される有価媒体に関する情報を入力するための入力部と、
前記識別部による貨幣の識別結果、および前記入力部により入力された有価媒体に関する情報を区別可能に前記外部装置へ送信する制御部と、
を有し、
前記収納部には、有価媒体以外の金額に紐付けられない媒体も収納することができるようになっており、
前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっており、
前記外部装置は、前記貨幣処理機から取得した情報に基づいて、前記識別部による貨幣の識別結果と、前記入力部により入力された有価媒体に関する情報とを区別して処理することを特徴とする貨幣処理システム。
【請求項１２】
貨幣の処理を行う貨幣処理機と、
前記貨幣処理機とは別に設けられ、当該貨幣処理機に通信接続された外部装置と、
を備えた貨幣処理システムであって、
前記貨幣処理機は、
貨幣の識別を行う識別部と、
前記識別部により識別された貨幣、および前記識別部により識別されていない有価媒体を収納する収納部と、
第１の管理権限を有する管理者により、前記収納部に収納される有価媒体に関する情報を入力するための入力部と、
前記識別部による貨幣の識別結果、および前記入力部により入力された有価媒体に関する情報を前記外部装置に送信する制御部と、
を有し、
前記収納部には、有価媒体以外の金額に紐付けられない媒体も収納することができるようになっており、
前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっており、
前記外部装置は、第１の管理権限とは異なる第２の管理権限下にあることを特徴とする貨幣処理システム。
【請求項１３】
識別部により貨幣の識別を行う工程と、
前記識別部により識別された貨幣、および前記識別部により識別されていない有価媒体を収納部に収納する工程と、
前記収納部に収納される有価媒体に関する情報を入力部により入力する工程と、
前記識別部による貨幣の識別結果、および前記入力部により入力された有価媒体に関する情報を区別可能に外部装置に送信する工程と、
を備え、
前記収納部には、有価媒体以外の金額に紐付けられない媒体も収納することができるようになっており、
前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっている、ことを特徴とする貨幣処理方法。
【請求項１４】
識別部により貨幣の識別を行う工程と、
前記識別部により識別された貨幣、および前記識別部により識別されていない有価媒体を収納部に収納する工程と、
第１の管理権限を有する管理者により、前記収納部に収納される有価媒体に関する情報を入力部により入力する工程と、
前記識別部による貨幣の識別結果、および前記入力部により入力された有価媒体に関する情報を、第１の管理権限とは異なる第２の管理権限下の外部装置に送信する工程と、
を備え、
前記収納部には、有価媒体以外の金額に紐付けられない媒体も収納することができるようになっており、
前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっている、ことを特徴とする貨幣処理方法。
【請求項１５】
有価媒体の識別を行う識別部と、
前記識別部により識別された第１の有価媒体、および前記識別部により識別されていない第２の有価媒体を収納する収納部と、
第１の管理権限を有する管理者により、前記収納部に収納された、前記識別部により識別されていない第２の有価媒体に関する情報を入力するための入力部と、
前記識別部による第１の有価媒体の識別結果、および前記入力部により入力された第２の有価媒体に関する情報を、第１の管理権限とは異なる第２の管理権限下の外部装置に送信する制御部と、
を備え、
前記収納部には、有価媒体以外の金額に紐付けられない媒体も収納することができるようになっており、
前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっている、ことを特徴とする有価媒体処理機。
【発明の詳細な説明】
【技術分野】
【０００１】
本発明は、紙幣や硬貨等の貨幣の処理を行う貨幣処理機、この貨幣処理機を備えた貨幣処理システムおよび貨幣処理機により貨幣の処理を行う貨幣処理方法に関する。また、本発明は、商品券、小切手等の有価媒体の処理を行う有価媒体処理機に関する。
【背景技術】
【０００２】
スーパーマーケットやコンビニエンスストア等の店舗において、当該店舗の売上金を入金して識別計数することにより入金処理を行うような入金機を店舗内に設置することが従来から行われている（例えば、特許文献１および２参照）。従来の入金機では、当該入金機の識別部で識別できた貨幣のみを収納し、当該貨幣の入金データを外部機器に送信するようになっていた。一方、入金機の識別部で識別できない損券・損貨や、商品券、小切手等の現金以外の有価媒体は、手書きの伝票を作成した上で、入金機には投入しないで別に管理していた。
【先行技術文献】
【特許文献】
【０００３】
【特許文献１】特許第３５４２０５１号
【特許文献２】特許第３７１１０６８号
【発明の概要】
【発明が解決しようとする課題】
【０００４】
また、特許文献１等に開示されるように、従来の現金管理システムでは、警備会社が店舗の警備を契約により担当している場合、警備会社の作業員は、入金機に収納された貨幣や有価媒体を定期的に回収するようになっている。そして、入金機に収納された貨幣や有価媒体が警備会社の作業員により回収されると、警備会社の管理権限下にある現金センターは、回収された貨幣および有価媒体の合計金額分の現金を、店舗の管理権限下の銀行口座に振り込むようになっている。このようにして、店舗側としては、警備会社の作業員により入金機から回収された貨幣および有価媒体の合計金額分の現金が、当該店舗の管理権限下の銀行口座に振り込まれるようになる。
【０００５】
このような現金管理システムにおいて、入金機の識別部による貨幣の識別結果は、当該入金機から、警備会社の管理権限下にある現金センターに送信されるようになっている。一方、入金機の識別部で識別できない損券・損貨や、商品券、小切手等の現金以外の有価媒体は、手書きの伝票と合わせて入金機とは別に管理されるようになっているが、このような有価媒体は、入金機の貨幣を回収する警備会社の作業員に手渡された後、現金センターへ運ばれるようになる。しかしながら、このような有価媒体は入金機の機外で別管理されるため、手間がかかる。
【０００６】
而して、上述のような現金管理システムでは、現金センターへ持ち帰った伝票の記載内容と、有価媒体の現物とを照合して、両者が一致することを確認したときに、店舗の管理権限下の銀行口座への現金の振り込みが行われるようになっているため、店舗の管理権限下の銀行口座への現金の振り込み作業を迅速に行うことができず、店舗側としては、入金機から回収された貨幣や有価媒体の合計金額が、当該店舗の管理権限下の銀行口座に振り込まれるまでの期間が長くなってしまうという問題があった。また、入金機に貨幣を入金できないときに、店舗側の管理者が手持ちの他の貨幣を代わりに入金する行為が行われる場合があり、現金管理上、好ましくない状態になることがあった。
【０００７】
本発明は、このような点を考慮してなされたものであり、店舗の管理権限下の銀行口座への現金の振り込みを迅速に行うことができ、また、外部装置において貨幣処理機から送信された有価媒体に関する情報と、実際に貨幣処理機から回収されて外部装置に運ばれた有価媒体とを照合することができる貨幣処理機、貨幣処理システムおよび貨幣処理方法を提供することを目的とする。
【０００８】
また、本発明の他の目的は、店舗の管理権限下の銀行口座への現金の振り込みを迅速に行うことができ、また、外部装置において有価媒体処理機から送信された第２の有価媒体に関する情報と、実際に有価媒体処理機から回収されて外部装置に運ばれた第２の有価媒体とを照合することができる有価媒体処理機を提供することにある。
【課題を解決するための手段】
【０００９】
本発明の貨幣処理機は、貨幣の識別を行う識別部と、前記識別部により識別された貨幣、および前記識別部により識別されていない有価媒体を収納する収納部と、前記収納部に収納される有価媒体に関する情報を入力するための入力部と、前記識別部による貨幣の識別結果、および前記入力部により入力された有価媒体に関する情報を区別可能に外部装置に送信する制御部と、を備えたことを特徴とする。
【００１０】
このような貨幣処理機によれば、識別部による貨幣の識別結果、および入力部により入力された有価媒体に関する情報が外部装置に送信されるので、外部装置による、店舗の管理権限下の銀行口座への現金の振り込みを迅速に行うことができるようになる。また、外部装置において貨幣処理機から送信された有価媒体に関する情報と、実際に貨幣処理機から回収されて外部装置に運ばれた有価媒体とを照合することができるようになる。
【００１１】
本発明の他の貨幣処理機は、貨幣の識別を行う識別部と、前記識別部により識別された貨幣、および前記識別部により識別されていない有価媒体を収納する収納部と、第１の管理権限を有する管理者により、前記収納部に収納される有価媒体に関する情報を入力するための入力部と、前記識別部による貨幣の識別結果、および前記入力部により入力された有価媒体に関する情報を、第１の管理権限とは異なる第２の管理権限下の外部装置に送信する制御部と、を備えたことを特徴とする。
【００１２】
このような貨幣処理機によれば、識別部による貨幣の識別結果、および入力部により入力された有価媒体に関する情報が、第１の管理権限とは異なる第２の管理権限下の外部装置に送信されるので、外部装置による、店舗の管理権限下の銀行口座への現金の振り込みを迅速に行うことができるようになる。また、外部装置において貨幣処理機から送信された有価媒体に関する情報と、実際に貨幣処理機から回収されて外部装置に運ばれた有価媒体とを照合することができるようになる。
【００１３】
本発明の貨幣処理機においては、前記収納部に収納された貨幣および有価媒体は第２の管理権限下にあるようになっていてもよい。
【００１４】
本発明の貨幣処理機においては、前記制御部は、前記識別部による貨幣の識別結果と、前記入力部により入力された有価媒体に関する情報とを区別して前記外部装置に送信するようになっていてもよい。
【００１５】
また、前記制御部は、前記識別部による貨幣の識別結果と、前記収納部に収納されている貨幣および有価媒体の合計金額に係る情報とを区別して前記外部装置に送信するようになっていてもよい。
【００１６】
また、前記制御部は、前記入力部により入力された有価媒体に関する情報と、前記収納部に収納されている貨幣および有価媒体の合計金額に係る情報とを区別して前記外部装置に送信するようになっていてもよい。
【００１７】
本発明の貨幣処理機においては、前記収納部には、前記識別部により識別された貨幣、および前記識別部により識別されていない有価媒体が混合状態で収納されるようになっていてもよい。
【００１８】
あるいは、前記収納部は複数の収納部分から構成されており、前記識別部により識別された貨幣、および前記識別部により識別されていない有価媒体は互いに異なる収納部分に収納されるようになっていてもよい。
【００１９】
本発明の貨幣処理機においては、前記収納部には、有価媒体以外の金額に紐付けられない媒体も収納することができるようになっており、前記識別部により識別された貨幣以外の媒体を前記収納部に収納する際に、当該媒体が金額に紐付けられた媒体であるか否かが選択され、前記収納部に収納される媒体が金額に紐付けられた媒体である場合にのみ、当該媒体の金額に関する情報を前記入力部により入力するようになっていてもよい。
【００２０】
本発明の貨幣処理システムは、貨幣の処理を行う貨幣処理機と、前記貨幣処理機とは別に設けられ、当該貨幣処理機に通信接続された外部装置と、を備えた貨幣処理システムであって、前記貨幣処理機は、貨幣の識別を行う識別部と、前記識別部により識別された貨幣、および前記識別部により識別されていない有価媒体を収納する収納部と、前記収納部に収納される有価媒体に関する情報を入力するための入力部と、前記識別部による貨幣の識別結果、および前記入力部により入力された有価媒体に関する情報を区別可能に前記外部装置へ送信する制御部と、を有し、前記外部装置は、前記貨幣処理機から取得した情報に基づいて、前記識別部による貨幣の識別結果と、前記入力部により入力された有価媒体に関する情報とを区別して処理することを特徴とする。
【００２１】
本発明の他の貨幣処理システムは、貨幣の処理を行う貨幣処理機と、前記貨幣処理機とは別に設けられ、当該貨幣処理機に通信接続された外部装置と、を備えた貨幣処理システムであって、前記貨幣処理機は、貨幣の識別を行う識別部と、前記識別部により識別された貨幣、および前記識別部により識別されていない有価媒体を収納する収納部と、第１の管理権限を有する管理者により、前記収納部に収納される有価媒体に関する情報を入力するための入力部と、前記識別部による貨幣の識別結果、および前記入力部により入力された有価媒体に関する情報を前記外部装置に送信する制御部と、を有し、前記外部装置は、第１の管理権限とは異なる第２の管理権限下にあることを特徴とする。
【００２２】
本発明の貨幣処理方法は、識別部により貨幣の識別を行う工程と、前記識別部により識別された貨幣、および前記識別部により識別されていない有価媒体を収納部に収納する工程と、前記収納部に収納される有価媒体に関する情報を入力部により入力する工程と、前記識別部による貨幣の識別結果、および前記入力部により入力された有価媒体に関する情報を区別可能に外部装置に送信する工程と、を備えたことを特徴とする。
【００２３】
本発明の他の貨幣処理方法は、識別部により貨幣の識別を行う工程と、前記識別部により識別された貨幣、および前記識別部により識別されていない有価媒体を収納部に収納する工程と、第１の管理権限を有する管理者により、前記収納部に収納される有価媒体に関する情報を入力部により入力する工程と、前記識別部による貨幣の識別結果、および前記入力部により入力された有価媒体に関する情報を、第１の管理権限とは異なる第２の管理権限下の外部装置に送信する工程と、を備えたことを特徴とする。
【００２４】
本発明の有価媒体処理機は、有価媒体の識別を行う識別部と、前記識別部により識別された第１の有価媒体、および前記識別部により識別されていない第２の有価媒体を収納する収納部と、第１の管理権限を有する管理者により、前記収納部に収納された、前記識別部により識別されていない第２の有価媒体に関する情報を入力するための入力部と、前記識別部による第１の有価媒体の識別結果、および前記入力部により入力された第２の有価媒体に関する情報を、第１の管理権限とは異なる第２の管理権限下の外部装置に送信する制御部と、を備えたことを特徴とする。
【００２５】
このような有価媒体処理機によれば、識別部による第１の有価媒体の識別結果、および入力部により入力された第２の有価媒体に関する情報が、第１の管理権限とは異なる第２の管理権限下の外部装置に送信されるようになっているので、外部装置による、店舗の管理権限下の銀行口座への現金の振り込みを迅速に行うことができるようになる。また、外部装置において有価媒体処理機から送信された第２の有価媒体に関する情報と、実際に有価媒体処理機から回収されて外部装置に運ばれた第２の有価媒体とを照合することができるようになる。
【発明の効果】
【００２６】
本発明の貨幣処理機、貨幣処理システムおよび貨幣処理方法によれば、識別部によって識別される貨幣量と識別されない有価媒体量を正確に管理することができるとともに、店舗の管理権限下の銀行口座への現金の振り込みを迅速に行うことができ、また、外部装置において貨幣処理機から送信された有価媒体に関する情報と、実際に貨幣処理機から回収されて外部装置に運ばれた有価媒体とを照合することができる。
【００２７】
本発明の有価媒体処理機によれば、識別部によって識別される第１の有価媒体量と識別されない第２の有価媒体量を正確に管理することができるとともに、店舗の管理権限下の銀行口座への現金の振り込みを迅速に行うことができ、また、外部装置において有価媒体処理機から送信された第２の有価媒体に関する情報と、実際に有価媒体処理機から回収されて外部装置に運ばれた第２の有価媒体とを照合することができる。
【図面の簡単な説明】
【００２８】
【図１】本発明の一の実施の形態による紙幣入金機を備えた貨幣処理システムの構成を示す図である。
【図２】図１に示す貨幣処理システムにおける紙幣入金機の構成を示す斜視図である。
【図３】図２に示す紙幣入金機の側方断面図である。
【図４】図２等に示す紙幣入金機の表示入力部の具体的構成を示す構成図である。
【図５】図２等に示す紙幣入金機の機能ブロック図である。
【図６Ａ】図２等に示す紙幣入金機における入金処理の全体の流れを示すフローチャートである。
【図６Ｂ】図２等に示す紙幣入金機に紙幣を入金し、入金された紙幣を識別計数するとともに収納カセットに収納させる動作を示すフローチャートである。
【図７Ａ】図２等に示す紙幣入金機の収納カセットに有価媒体を収納させる動作を示すフローチャートである。
【図７Ｂ】図２等に示す紙幣入金機の収納カセットに、金額に紐付けられる有価媒体や金額に紐付けられない媒体を選択的に収納させる動作を示すフローチャートである。
【図７Ｃ】図２等に示す紙幣入金機の収納カセットに、金額に紐付けられる有価媒体や金額に紐付けられない媒体を選択的に収納させる場合における表示入力部のモニタの表示画面を示す図である。
【図８】紙幣入金機の制御部から店舗サーバーおよび現金センターにそれぞれ送信される情報の内容を示す図である。
【発明を実施するための形態】
【００２９】
以下、図面を参照して本発明の一の実施の形態について説明する。図１乃至図８は、本実施の形態に係る紙幣入金機（貨幣処理機）およびこの紙幣入金機を備えた貨幣処理システムを示す図である。
【００３０】
まず、本実施の形態による紙幣入金機が設けられた貨幣処理システムについて図１を用いて説明する。図１に示すように、貨幣処理システムは、紙幣の入金処理を行う紙幣入金機１と、紙幣入金機１とは別に設けられ、当該紙幣入金機１に通信接続された店舗サーバー１００と、店舗サーバー１００に通信接続された本店サーバー１１０と、紙幣入金機１とは別に設けられ、当該紙幣入金機１に通信接続された現金センター２００とを備えている。紙幣入金機１は、スーパーマーケットやコンビニエンスストア等の店舗に設置されており、この紙幣入金機１は、店舗の売上金を入金して識別計数するような入金処理を行うようになっている。また、このような紙幣入金機１では、当該紙幣入金機１で識別できない損券・損貨や、商品券、小切手等の現金以外の有価媒体については、当該有価媒体を収納カセット７０（後述）に収納させる際に店員（操作者）が手動で計数してその金額を紙幣入金機１に手入力するようになっている。
【００３１】
店舗サーバー１００は、紙幣入金機１が設置された店舗に設置されており、この店舗サーバー１００は紙幣入金機１の上位装置に該当するものである。一方、本店サーバー１１０は、各店舗とは別の場所（例えば、本店）に設置されており、各店舗からの情報を集約するようになっている。
【００３２】
また、本実施の形態の貨幣処理システムでは、警備会社が店舗の警備を契約により担当するようになっている。現金センター２００は警備会社の管理権限下にあり、この現金センター２００は、紙幣入金機１が設置された店舗とは別の場所に設置されている。そして、警備会社の作業員は、紙幣入金機１に収納された紙幣や有価媒体を定期的に回収するようになっている。紙幣入金機１に収納された紙幣や有価媒体が警備会社の作業員により回収されると、回収された紙幣や有価媒体は警備会社の作業員により現金センター２００に配送される。また、警備会社の管理権限下にある現金センター２００は、回収された紙幣および有価媒体の合計金額分の現金に係る情報を現金振り込み情報として銀行３００に送信し、当該金額分の現金を店舗の管理権限下の銀行口座に振り込ませるようになっている。このようにして、店舗側としては、警備会社の作業員により紙幣入金機１から回収された紙幣および有価媒体の合計金額分の現金が、当該店舗の管理権限下の銀行口座に振り込まれるようになる。
【００３３】
以下、紙幣入金機１の構成の詳細について図２乃至図５を用いて説明する。
【００３４】
図２は、図１に示す貨幣処理システムにおける紙幣入金機１の構成を示す斜視図であり、図３は、図２に示す紙幣入金機１の側方断面図である。図２および図３に示すように、紙幣入金機１は、筐体１ａと、筐体１ａに設けられて複数の紙幣Ｐが載置される載置部２０と、載置部２０に載置された複数の紙幣Ｐを１枚ずつ筐体１ａ内に取り込む受入部２５と、受入部２５により取り込まれた紙幣Ｐを搬送する搬送部３０と、搬送部３０で搬送された紙幣Ｐを集積する集積部６０と、搬送部３０に設けられ、当該搬送部３０で搬送される紙幣Ｐの金種や真偽等を識別するとともに計数する識別部４０と、集積部６０に集積された紙幣Ｐを受け入れて収納する収納カセット７０と、を備えている。
【００３５】
このうち、受入部２５は、図３に示すように、載置部２０に載置された複数の紙幣Ｐのうち最も下方に位置する紙幣Ｐに駆動力を与えるキッカローラ２６と、紙幣Ｐの繰出方向においてキッカローラ２６の下流側に配置され、キッカローラ２６により蹴り出された紙幣Ｐの筐体１ａの内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００３６】
また、図３に示すように、搬送部３０は、紙幣Ｐを搬送する搬送ベルト３１、搬送ローラ３２等で構成されている。また、搬送部３０の最下流部で、集積部６０近傍には、搬送部３０で搬送された紙幣Ｐを１枚毎に羽根３５ａの間で受け止めて集積部６０に整列集積させる羽根車３５が設けられている。
【００３７】
また、図３に示すように、集積部６０は、集積紙幣Ｐを前面側に傾斜させた状態で集積させる形状となっており、搬送部３０から送られた紙幣Ｐを支持部６４で支持させることで、前面側に傾斜させた立位状態で紙幣Ｐを集積するように構成されている。なお、本願で前面側とは、操作者が紙幣Ｐを載置部２０に載置したり、集積部６０から紙幣Ｐを取り出したりする側のことを意味し、図３の右側のことを意味している。他方、本願で後面側とは、前面側と反対側を意味し、図３の左側のことを意味している。
【００３８】
また、図２および図３に示すように、集積部６０の前面側には、集積された紙幣Ｐを外部から取り出すための前面開口を開閉するための前面シャッター部６２が設けられている。この前面シャッター部６２は、後述する制御部５０によって、少なくとも挟持搬送機構１０（後述）によって紙幣Ｐを収納カセット７０へ搬送しているときに開放不可能となるように制御されている。
【００３９】
また、図３に示すように、集積部６０には、当該集積部６０に集積された紙幣Ｐの表面を挟持し、その表面と平行な方向へ当該紙幣Ｐを搬送することで収納カセット７０へ紙幣Ｐを収納させる挟持搬送機構１０が設けられている。より具体的には、挟持搬送機構１０は、集積部６０に集積された複数の紙幣Ｐのうち最も前面側に位置する紙幣Ｐの表面と最も後面側に位置する紙幣Ｐの表面を挟持し、当該複数の紙幣Ｐを一括して収納カセット７０へ搬送することができるように構成されている（図３の矢印Ａ１参照）。
【００４０】
また、図３に示すように、収納カセット７０には、挟持搬送機構１０で搬送される紙幣Ｐを取り込むためのスリット状のスリット開口部７１と、当該スリット開口部７１を開閉するためのスリットシャッター部７２が設けられている。なお、収納カセット７０は図２に示す収納筐体７５内に取り出し自在に収納されている。また、図２に示すように、収納カセット７０は、扉７７を開けて、紙幣入金機１への装填及び取り外しが可能である。より詳細には、扉７７には把手７６および電磁キー（図示せず）が設けられており、制御的に電磁キーを解錠し、把手７６を回して扉７７を開くようになっている。収納カセット７０の取り外しは、警備会社の作業員により行われる。なお、制御的に電磁キーを解錠し、把手７６を回して扉７７を開くという動作は、警備会社の作業員のみならず店舗の店員が行うことができるように設定されていてもよい。警備会社の作業員により収納筐体７５から取り外された収納カセット７０は、現金センター２００へ移送されるようになっている。
【００４１】
紙幣入金機１に紙幣を投入した場合の紙幣の流れや、外部から投入される有価媒体の流れを簡単に説明する。紙幣入金機１に紙幣を投入する際に、載置部２０に複数の紙幣が載置されると、受入部２５によって紙幣が１枚ずつ機体内に取り込まれ、識別部４０によって識別された後、集積部６０やリジェクト部６５へ送られる。その後、集積部６０に集積された紙幣は収納カセット７０に収納される。また、紙幣入金機１に有価媒体を投入する際には、集積部６０の前面シャッター部６２が開放され、有価媒体が入った封筒を集積部６０にセットすると、有価媒体が入った封筒は収納カセット７０に収納されるようになる。
【００４２】
このように、本実施の形態の紙幣入金機１では、収納カセット７０には紙幣Ｐおよび有価媒体が混合状態で収納されるようになっている。また、収納カセット７０に収納された紙幣Ｐおよび有価媒体は、店舗の管理権限下ではなく警備会社の管理権限下となる。
【００４３】
また、図２に示すように、紙幣入金機１の筐体１ａには、所定の情報を表示する機能とデータ入力を可能とする機能を有する表示入力部５が設けられている。このような表示入力部５の具体的構成を図４に示す。図４に示すように、表示入力部５は、紙幣Ｐの計数結果等を表示するモニタ５ａと、操作者が様々な指令を入力するための複数の入力キー５ｂとから構成されている。モニタ５ａには、例えば、収納カセット７０に収納された紙幣Ｐの金種毎の枚数等が表示されるようになっている。図４に示すように、複数の入力キー５ｂは、メニューキー、交換キー、クリアキー、確定キー、上下左右各方向の矢印キー、シフトキー、モードキー、締めキー、回収キー、スタート／ストップキー等から構成されている。
【００４４】
また、図２に示すように、紙幣入金機１の筐体１ａには、紙幣Ｐの計数結果等を印字するプリンター６や、後述する制御部５０に対して操作者が様々な入力を行うためのテンキー７、操作者のＩＤ情報を得るために当該操作者が保持するＩＤカードの読み取りを行うカード読取部８がそれぞれ設けられている。
【００４５】
また、図３に示すように、搬送部３０には、異常時に、集積部６０に搬送されない紙幣Ｐが搬送されるリジェクト部６５が設けられている。
【００４６】
ここで言う異常とは、識別異常および搬送異常を意味している。識別異常とは、識別部４０で識別された情報が制御部５０に予め記憶された情報と一致しない場合のことを意味している。そして、このような識別異常としては、例えば、識別された紙幣Ｐが予定していた種類と異なる種類の紙幣Ｐであると識別されたときや、そもそも紙幣Ｐの種類を識別することができなかったときなどを挙げることができる。
【００４７】
また、搬送異常とは、搬送部３０によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００４８】
本実施の形態の紙幣入金機１には、図５に示すような制御部５０が設けられており、この制御部５０が、紙幣入金機１の各構成要素を制御するようになっている。図５に示すように、制御部５０には、受入部２５、搬送部３０、識別部４０、前面シャッター部６２、挟持搬送機構１０、スリットシャッター部７２、表示入力部５、プリンター６、テンキー７、カード読取部８等がそれぞれ接続されている。そして、識別部４０により識別計数された紙幣Ｐの識別計数情報は制御部５０に送られるようになっている。また、表示入力部５の各入力キー５ｂやテンキー７により入力された操作者からの様々な指令は制御部５０に送られるようになっている。また、カード読取部８により読み取られた操作者のＩＤ情報等も制御部５０に送られるようになっている。また、制御部５０は、受入部２５、搬送部３０、前面シャッター部６２、挟持搬送機構１０、スリットシャッター部７２、表示入力部５、プリンター６等の各構成要素に制御信号を送り、これらの構成要素の制御を行うようになっている。
【００４９】
また、図５に示すように、制御部５０には記憶部５４が接続されている。記憶部５４には、紙幣入金機１を特定する装置ＩＤや同装置を利用可能な操作者ＩＤ等の事前に設定される情報や、紙幣Ｐの計数結果等が記憶されるようになっている。
【００５０】
また、図５に示すように、制御部５０にはインターフェース部５６が接続されており、このインターフェース部５６を介して制御部５０は店舗サーバー１００や現金センター２００等の外部装置と信号の送受信を行うことができるようになっている。
【００５１】
次に、このような構成からなる紙幣入金機１の動作について説明する。
【００５２】
まず、紙幣入金機１における入金処理の全体の流れについて図６Ａに示すフローチャートを用いて説明する。最初に、制御部５０において、計数入金処理を行うか否かの確認が行われる（ＳＴＥＰ１０１）。具体的には、操作者によって、紙幣Ｐの入金処理を行う旨の指令が表示入力部５によって制御部５０に入力されると、後述する計数入金処理が行われるようになる（ＳＴＥＰ１０２）。また、制御部５０において、有価媒体入金処理を行うか否かの確認が行われる（ＳＴＥＰ１０３）。具体的には、操作者によって、紙幣Ｐ以外の有価媒体の入金処理を行う旨の指令が表示入力部５によって制御部５０に入力されると、後述する有価媒体入金処理が行われるようになる（ＳＴＥＰ１０４）。そして、計数入機処理や有価媒体入金処理が行われ、取引が終了すると（ＳＴＥＰ１０５の「ＹＥＳ」）、プリンター６によりジャーナル（控）が印字される（ＳＴＥＰ１０６）。その後、入金データが制御部５０からインターフェース部５６を介して店舗サーバー１００や現金センター２００に送信されるようになる（ＳＴＥＰ１０７）。
【００５３】
次に、紙幣入金機１に紙幣Ｐを入金し、入金された紙幣Ｐを識別計数するとともに収納カセット７０に収納させる動作について図６Ｂに示すフローチャートを用いて説明する。なお、以下に示す動作は、明示しない限り制御部５０から各部位へ送信される信号に基づいて行われる。
【００５４】
まず、操作者によって、紙幣Ｐの入金処理を行う旨の指令を表示入力部５によって制御部５０に入力する。より具体的には、操作者は、表示入力部５によって「計数入金」のコマンドを選択する（ＳＴＥＰ１）。この際に、表示入力部５またはカード読取部８によって操作者のＩＤ情報も制御部５０に入力する。そして、このような信号を制御部５０が受け取ると、当該制御部５０によって、前面シャッター部６２は開放不可能となるように制御される。
【００５５】
次に、操作者によって、載置部２０に複数の紙幣Ｐが載置されると（ＳＴＥＰ２の「ＹＥＳ」）、受入部２５によって、載置部２０に載置された複数の紙幣Ｐが一枚ずつ機内に取り込まれる（ＳＴＥＰ３）。このとき、キッカローラ２６によって載置部２０に載置された複数の紙幣Ｐのうち最も下方に位置する紙幣Ｐが蹴り出されるとともに、フィードローラ２７ａによって繰り出され、ゲートローラ２７ｂの作用により紙幣Ｐが１枚ずつ繰り出される。
【００５６】
次に、搬送部３０によって、受入部２５で取り込まれた紙幣Ｐが搬送される。このとき、搬送部３０に設けられた識別部４０によって、搬送部３０で搬送される紙幣Ｐが識別計数される（ＳＴＥＰ４）。
【００５７】
このように搬送部３０で紙幣Ｐが搬送されているときに識別異常や搬送異常が発生した場合には（ＳＴＥＰ５の「ＹＥＳ」）、当該紙幣Ｐはリジェクト部６５へと搬送される（ＳＴＥＰ６）。他方、このような識別異常や搬送異常が発生しない場合には（ＳＴＥＰ５の「ＮＯ」）、搬送されている紙幣Ｐは集積部６０に搬送される（ＳＴＥＰ７）。
【００５８】
このように集積部６０へ紙幣Ｐが搬送される際には、当該紙幣Ｐは、羽根車３５の羽根３５ａの間で受け止められて集積部６０に整列集積される。そして、羽根車３５によって搬送された紙幣Ｐは、集積部６０内で、前面側に傾斜させた立位状態で集積されることとなる。表示入力部５には、集積部６０内に集積された紙幣Ｐの合計金額が表示されるようになる。また、識別結果（金種別の枚数や合計金額等）が操作者のＩＤと合わせて記憶部５４に記憶される。
【００５９】
上述のようにして、載置部２０に載置された複数の紙幣Ｐの全てが集積部６０に搬送されて、載置部２０に紙幣Ｐが存在しなくなると（ＳＴＥＰ８の「ＹＥＳ」）、集積部６０に集積された紙幣Ｐの合計金額に対する承認指示を求める表示が表示入力部５に表示される（ＳＴＥＰ９）。
【００６０】
そして、ＳＴＥＰ１０の「ＹＥＳ」に示すように、操作者により承認指示が表示入力部５から入力されると（具体的には、操作者が表示入力部５の確定キーを押下すると）、集積部６０に集積された複数の紙幣Ｐが、挟持搬送機構１０によって、スリット開口部７１を通過して、収納カセット７０内に収納される（ＳＴＥＰ１１）（図３の矢印Ａ１参照）。なおこのとき、スリットシャッター部７２が前面側に移動されており、スリット状のスリット開口部７１が開状態となっている。他方、紙幣Ｐが収納カセット７０内に収納されるとき以外は、スリットシャッター部７２は後面側に移動されており、スリット開口部７１は閉状態となっている。また、紙幣Ｐが収納カセット７０内に収納されると、収納カセット７０内の紙幣Ｐは店舗の管理権限下ではなく警備会社の管理権限下となる。
【００６１】
なお、リジェクト部６５に紙幣Ｐが存在する場合には、操作者が、その紙幣Ｐを再度、載置部２０に載置して、前述と同様の工程が繰り返されて、全ての紙幣Ｐが集積部６０へ搬送されるようにする。しかしながら、何度やってもリジェクト部６５に搬送される紙幣Ｐについては、受付できない紙幣Ｐとして判断されて収納対象から除かれる。また、操作者が合計金額について承認できない場合には（ＳＴＥＰ１０の「ＮＯ」）、返却指示が表示入力部５から入力されることにより前面シャッター部６２が開放されて集積紙幣Ｐを取り出し可能となり（ＳＴＥＰ１２）（図３の矢印Ａ２参照）、集積部６０に集積された紙幣Ｐが操作者により回収されると（ＳＴＥＰ１３の「ＹＥＳ」）、処理が終了される。
【００６２】
次に、紙幣入金機１の識別部４０で識別できない損券・損貨や、商品券、小切手等の現金以外の有価媒体を、紙幣入金機１の収納カセット７０に収納させる動作について図７Ａに示すフローチャートを用いて説明する。なお、以下に示す動作は、明示しない限り制御部５０から各部位へ送信される信号に基づいて行われる。
【００６３】
まず、操作者によって、紙幣Ｐ以外の有価媒体の入金処理を行う旨の指令を表示入力部５によって制御部５０に入力する。より具体的には、操作者は、表示入力部５によって「有価媒体入金（現外入金）」のコマンドを選択する（ＳＴＥＰ２１）。この際に、表示入力部５によって操作者のＩＤ情報も制御部５０に入力する。このときに、入力されたデータは、手入力データとして記憶部５４に記憶される。
【００６４】
そして、操作者は、表示入力部５により、有価媒体に係る情報、具体的には有価媒体の金額等を制御部５０に入力し、確定キーを押下する（ＳＴＥＰ２２）。そうすると、プリンター６により、操作者によって制御部５０に入力された有価媒体に係る情報がジャーナルに印字される（ＳＴＥＰ２３）。また、このときに、当該制御部５０によって、前面シャッター部６２が開放され（ＳＴＥＰ２４）、有価媒体が入った封筒を集積部６０に入れることができるようになる。
【００６５】
その後、操作者が、有価媒体が入った封筒と、有価媒体の情報が印字されたジャーナルを集積部６０にセットし、確定キーを押下すると（ＳＴＥＰ２５）、前面シャッター部６２が閉止する（ＳＴＥＰ２６）。そして、集積部６０にセットされた、有価媒体が入った封筒およびジャーナルが、挟持搬送機構１０によって、スリット開口部７１を通過して、収納カセット７０内に収納される（ＳＴＥＰ２７）（図３の矢印Ａ１参照）。また、有価媒体が入った封筒が収納カセット７０内に収納されると、収納カセット７０内の有価媒体は店舗の管理権限下ではなく警備会社の管理権限下となる。このようにして、有価媒体を収納カセット７０に収納させる動作が終了する。
【００６６】
なお、本実施の形態では、金額に紐付けられる有価媒体以外に、金額に紐付けられない媒体も紙幣入金機１の収納カセット７０に収納させることができるようになっていてもよい。具体的には、金額に紐付けられない媒体として、例えば店舗の売上伝票、店舗が発行している割引券やサービス券、当日以外の売上金が印字されたジャーナル、あるいは店舗と警備会社との間で行き来するレターや連絡帳等が、収納カセット７０に収納されるようになっていてもよい。この場合には、これらの媒体が収納カセット７０とともに店舗から警備会社まで送られたり、警備会社から店舗まで送られたりするようになる。金額に紐付けられない媒体を紙幣入金機１の収納カセット７０に収納可能な場合において、金額に紐付けられる有価媒体や金額に紐付けられない媒体を選択的に紙幣入金機１の収納カセット７０に収納させる動作について図７Ｂに示すフローチャートおよび図７Ｃに示す表示入力部５のモニタ５ａの表示画面を用いて説明する。
【００６７】
まず、操作者によって、紙幣Ｐ以外の媒体の入金処理を行う旨の指令を表示入力部５によって制御部５０に入力する。より具体的には、操作者は、表示入力部５によって「媒体投入」のコマンドを選択する（ＳＴＥＰ３１）。この際に、表示入力部５によって操作者のＩＤ情報も制御部５０に入力する。このときに、入力されたデータは、手入力データとして記憶部５４に記憶される。
【００６８】
表示入力部５によって「媒体投入」のコマンドを選択すると、表示入力部５のモニタ５ａには図７Ｃ（ａ）に示すような表示画面が表示される。具体的には、図７Ｃ（ａ）に示すように、複数の媒体の種類の一覧が表示される。ここで、「ＵＮＦＩＴ  ＮＯＴＥ」とは、損券のことをいい、「ＣＯＩＮ」とは、硬貨のことをいい、「ＣＨＥＣＫ」とは、小切手のことをいう。また、「ＣＯＵＰＯＮ」とは、クーポン券のことをいい、「ＴＩＣＫＥＴ」とは、商品券のことをいい、「ＯＴＨＥＲＳ」とは、それ以外の媒体のことをいう。更に詳細に説明すると、損券、硬貨、小切手、クーポン券、商品券は、金額に紐付けられる有価媒体であり、一方、「ＯＴＨＥＲＳ」に対応する、それ以外の媒体は、金額に紐付けられない媒体である。操作者は、図７Ｃ（ａ）に示す表示画面から、表示入力部５の入力キー５ｂ（具体的には左右のテンキー）を押下することにより、媒体の種類を選択する（ＳＴＥＰ３２）。なお、図７Ｃ（ａ）に示す表示画面における複数の媒体の種類の一覧について、各項目の名前や順番は操作者が表示入力部５により変更可能となっている。
【００６９】
選択された媒体が、金額に紐付けられる媒体、具体的には、損券、硬貨、小切手、クーポン券、商品券である場合には（ＳＴＥＰ３３のＹＥＳ）、操作者は、表示入力部５により、有価媒体の金額に係る情報を制御部５０に入力し、確定キーを押下する（ＳＴＥＰ３４）。より詳細には、図７Ｃ（ａ）に示す表示画面において、金額に紐付けられる媒体、例えば損券を選択すると、表示入力部５のモニタ５ａには図７Ｃ（ｂ）に示すような表示画面が表示され、損券の枚数が入力可能となる。そして、損券の枚数を入力し、確定キーを押下すると、操作者によって制御部５０に入力された有価媒体の金額に係る情報がジャーナルに印字される（ＳＴＥＰ３５）。その後、前面シャッター部６２が開放され（ＳＴＥＰ３６）、有価媒体が入った封筒、および有価媒体の金額に係る情報が印字されたジャーナルを集積部６０に入れることができるようになる。
【００７０】
一方、選択された媒体が、金額に紐付けられない媒体である場合には（具体的には図７Ｃ（ａ）における「ＭＡＮＵＡＬ００６：ＯＴＨＥＲＳ」が選択された場合には）（ＳＴＥＰ３３のＮＯ）、表示入力部５のモニタ５ａには図７Ｃ（ｃ）に示すような表示画面が表示される。この場合には、媒体の枚数を制御部５０に入力することはない。表示入力部５のモニタ５ａに図７Ｃ（ｃ）に示すような表示画面が表示されているときに、操作者が確定キーを押下すると、前面シャッター部６２が開放され（ＳＴＥＰ３６）、媒体自体を集積部６０に入れることができるようになる。なお、この際に、ジャーナルに「その他」と印字されたり、金額に紐付けられない媒体の数が印字されたりするようになっていてもよい。
【００７１】
操作者が、有価媒体が入った封筒や、金額が紐付けられていない媒体を集積部６０にセットし、確定キーを押下すると（ＳＴＥＰ３７）、前面シャッター部６２が閉止する（ＳＴＥＰ３８）。そして、集積部６０にセットされた媒体が、挟持搬送機構１０によって、スリット開口部７１を通過して、収納カセット７０内に収納される（ＳＴＥＰ３９）。このようにして、有価媒体以外の媒体も収納カセット７０に収納させることができるようになる。
【００７２】
以上のように、図７Ｂに示すフローチャートによる動作によれば、収納カセット７０には、有価媒体以外の金額に紐付けられない媒体も収納することができるようになっており、識別部４０により識別された紙幣以外の媒体を収納カセット７０に収納する際に、当該媒体が金額に紐付けられた媒体であるか否かが選択され、収納カセット７０に収納される媒体が金額に紐付けられた媒体である場合にのみ、当該媒体の金額に関する情報を表示入力部５により入力するようになっている。このことにより、店舗の売上伝票や、店舗と警備会社との間で行き来するレターや連絡帳のような、金額に紐付けられない媒体を収納カセット７０に収納する際に、媒体の金額に関する情報を入力する必要がなくなる。すなわち、識別部４０により識別された紙幣以外の媒体を収納カセット７０に収納する際に、もし仮に全ての媒体について媒体の金額に関する情報を必ず入力しなければならない場合には、金額に紐付けられない媒体を収納カセット７０に収納する際に、ダミーの金額を仮に入力することになるが、この際に、制御部５０により管理される収納カセット７０内の貨幣や有価媒体の合計金額が、実際に収納カセット７０に収納されている貨幣や有価媒体の状態と合わなくなってしまうおそれがある。これに対して、図７Ｂに示すフローチャートによる動作によれば、このようなトラブルを防止することができる。
【００７３】
本実施の形態の貨幣処理システムにおいては、紙幣入金機１の識別部４０による紙幣Ｐの識別結果は、当該紙幣入金機１から、店舗サーバー１００に送信されるとともに、警備会社の管理権限下にある現金センター２００に送信されるようになっている。また、表示入力部５により手入力された有価媒体に関する情報も、店舗サーバー１００に送信されるとともに、警備会社の管理権限下にある現金センター２００に送信されるようになっている。
【００７４】
具体的には、図６Ｂのフローチャートに示すような紙幣Ｐの計数入金処理や、図７Ａのフローチャートに示すような有価媒体の入金処理が終了すると、識別部４０による紙幣Ｐの識別結果や、表示入力部５により手入力された有価媒体に関する情報が、紙幣入金機１の制御部５０からインターフェース部５６により店舗サーバー１００および現金センター２００にそれぞれ送信される。より詳細には、表示入力部５により制御部５０に入力された操作者のＩＤ情報、識別部４０による紙幣Ｐの計数データ、表示入力部５またはカード読取部８により制御部５０に手入力された有価媒体の金額等の手入力データが、装置ＩＤや処理日時情報を合わせて、紙幣入金機１の制御部５０からインターフェース部５６により店舗サーバー１００および現金センター２００にそれぞれ送信される。また、この際に、有価媒体の現物と、表示入力部５により制御部５０に手入力された有価媒体の金額等の手入力データとを結びつけるシリアル番号も、紙幣入金機１の制御部５０からインターフェース部５６により店舗サーバー１００および現金センター２００にそれぞれ送信されるようになる。
【００７５】
図８に、紙幣入金機１の制御部５０からインターフェース部５６により店舗サーバー１００および現金センター２００にそれぞれ送信される情報の内容を示す。図８に示すように、装置ＩＤ情報、処理日時（図８では、ＹＹＹＹ（西暦）ＭＭ（月）ＤＤ（日）／ＨＨ（時間）：ＭＭ（分）で表示）、操作者のＩＤ情報、識別部４０による紙幣Ｐの計数データ、表示入力部５により制御部５０に手入力された有価媒体の金額等の手入力データ、シリアル番号、収納カセット７０に収納されている紙幣Ｐおよび有価媒体の合計金額に係る情報が、紙幣入金機１の制御部５０からインターフェース部５６により店舗サーバー１００および現金センター２００にそれぞれ送信されるようになっている。
【００７６】
また、本実施の形態では、紙幣入金機１の制御部５０は、識別部４０による紙幣Ｐの計数データと、表示入力部５により制御部５０に手入力された有価媒体の金額等の手入力データとを区別して店舗サーバー１００および現金センター２００にそれぞれ送信するようになっている。すなわち、紙幣Ｐの計数データおよび有価媒体の金額等の手入力データが一体的な情報として店舗サーバー１００や現金センター２００に送られるのではなく、紙幣Ｐの計数データおよび有価媒体の金額等の手入力データは別々の情報としてそれぞれ店舗サーバー１００や現金センター２００に送られるようになっている。
【００７７】
また、紙幣入金機１の制御部５０は、識別部４０による紙幣Ｐの計数データと、収納カセット７０に収納されている紙幣Ｐおよび有価媒体の合計金額に係る情報とを区別して店舗サーバー１００および現金センター２００にそれぞれ送信するようになっていてもよい。また、紙幣入金機１の制御部５０は、表示入力部５により制御部５０に手入力された有価媒体の金額等の手入力データと、収納カセット７０に収納されている紙幣Ｐおよび有価媒体の合計金額に係る情報とを区別して店舗サーバー１００および現金センター２００にそれぞれ送信するようになっていてもよい。
【００７８】
このようにして図８に示すような内容の情報が警備会社の管理権限下にある現金センター２００に送信されると、現金センター２００は、紙幣入金機１の制御部５０から送信された、収納カセット７０に収納されている紙幣Ｐおよび有価媒体の合計金額分の現金に係る情報を現金振り込み情報として銀行３００に送信し、当該金額分の現金を店舗の管理権限下の銀行口座に振り込ませるようになっている。このようにして、店舗側としては、警備会社の作業員により紙幣入金機１から回収された紙幣Ｐおよび有価媒体の合計金額分の現金が、当該店舗の管理権限下の銀行口座に速やかに振り込まれるようになる。
【００７９】
また、現金センター２００では、紙幣入金機１の制御部５０から送信された有価媒体に関する情報と、実際に警備会社の作業員により紙幣入金機１から回収されて当該現金センター２００に運ばれた有価媒体とを照合する作業が行われる。ここで、両者の情報が一致しない場合には、銀行３００に対して過不足金額に係る情報を送信し、店舗の管理権限下の銀行口座に対して過不足分の現金の入金または出金を行わせるようになる。
【００８０】
以上のように本実施の形態の紙幣入金機１（貨幣処理機）およびこの紙幣入金機１を備えた貨幣処理システムによれば、紙幣入金機１において、第１の管理権限を有する管理者（具体的には、店舗の店員）によって、収納カセット７０に収納される有価媒体に関する情報が表示入力部５により入力されるようになっており、紙幣入金機１の制御部５０は、識別部４０による紙幣Ｐの識別結果、および表示入力部５により入力された有価媒体に関する情報を、第１の管理権限とは異なる第２の管理権限下（具体的には、警備会社の管理権限下）の現金センター２００に送信するようになっている。このことにより、現金センター２００による、店舗の管理権限下の銀行口座への現金の振り込みを迅速に行うことができるようになる。また、現金センター２００において紙幣入金機１から送信された有価媒体に関する情報と、実際に紙幣入金機１から回収されて現金センター２００に運ばれた有価媒体とを照合することができるようになる。
【００８１】
また、本実施の形態の紙幣入金機１においては、収納カセット７０に収納された紙幣Ｐおよび有価媒体は第２の管理権限下（具体的には、警備会社の管理権限下）となる。
【００８２】
また、前述のように、本実施の形態の紙幣入金機１においては、制御部５０は、識別部４０による紙幣Ｐの識別結果と、表示入力部５により入力された有価媒体に関する情報とを区別して現金センター２００に送信するようになっている。このことにより、店舗の管理権限下の銀行口座への現金の振り込みを現金センター２００により行う際に、識別部４０による紙幣Ｐの識別結果に対応する現金を即座に店舗の管理権限下の銀行口座に振り込み、一方、表示入力部５により入力された有価媒体に関する情報については、実際に紙幣入金機１から回収されて現金センター２００に運ばれた有価媒体と照合した後に店舗の管理権限下の銀行口座に現金を振り込むといった運用が可能となる。また、紙幣識別分と手入力分を分けて集計することも可能となる。
【００８３】
また、本実施の形態の紙幣入金機１においては、制御部５０は、識別部４０による紙幣Ｐの識別結果と、収納カセット７０に収納されている紙幣Ｐおよび有価媒体の合計金額に係る情報とを区別して現金センター２００に送信するようになっていてもよい。また、制御部５０は、表示入力部５により入力された有価媒体に関する情報と、収納カセット７０に収納されている紙幣Ｐおよび有価媒体の合計金額に係る情報とを区別して現金センター２００に送信するようになっていてもよい。
【００８４】
また、本実施の形態の紙幣入金機１においては、収納カセット７０には、識別部４０により識別された紙幣Ｐ、および識別部４０により識別されていない有価媒体が混合状態で収納されるようになっている。なお、本実施の形態では、収納カセット７０はこのような態様に限定されることはない。他の例として、収納カセットは複数の収納部分から構成されており、識別部４０により識別された紙幣Ｐ、および識別部４０により識別されていない有価媒体が互いに異なる収納部分に収納されるようになっていてもよい。
【００８５】
なお、本実施の形態による紙幣入金機１およびこの紙幣入金機１を備えた貨幣処理システムは、上記の態様に限定されるものではなく、様々の変更を加えることができる。
【００８６】
変形例に係る紙幣入金機１では、制御部５０は、識別部４０により識別された紙幣Ｐを収納カセット７０に収納させるような通常入金モード、および収納カセット７０に紙幣や硬貨等の貨幣を強制的に収納させるような強制入金モードのうちいずれか一方のモードを選択して実行することができるようになっている。強制入金モードでは、紙幣入金機１の載置部２０に載置された紙幣を機体内に繰り出して、識別部４０により識別することなく計数のみを行い、その後、集積部６０に集積した後、承認動作に基づいて収納カセット７０に送り込むようになる。このような強制入金モードで回収されるのはバラ紙幣となる。この際に、操作者は、入金すべき金額等を表示入力部５により手入力し、制御部５０は、手入力されたデータに計数枚数等を追加して、インターフェース部５６を介して上位装置等の外部装置に送信する。
【００８７】
変形例に係る紙幣入金機１では、制御部５０は、通常入金モードにおける、識別部４０による紙幣Ｐの識別結果、および、強制入金モードにおける、表示入力部５により入力された、強制入金される紙幣に関する情報を、店舗サーバー１００および現金センター２００にそれぞれ送信するようになっている。このことにより、現金センター２００による、店舗の管理権限下の銀行口座への現金の振り込みを迅速に行うことができるようになる。また、現金センター２００において紙幣入金機１から送信された、強制入金される紙幣に関する情報と、実際に紙幣入金機１から回収されて現金センター２００に運ばれた紙幣とを照合することができるようになる。
【００８８】
また、店舗サーバー１００や現金センター２００等の外部装置は、紙幣入金機１から取得した情報に基づいて、識別部４０による紙幣の識別結果と、表示入力部５により入力された有価媒体に関する情報とを区別して処理するようになっていてもよい。
【００８９】
また、更なる変形例に係る紙幣処理機では、識別部４０により識別されて入金された紙幣と、手入力に基づいて入金された有価媒体とを、別々の収納部に収納するようになっていてもよい。
【００９０】
また、本発明における貨幣処理機は、図２等に示すような紙幣入金機１に限定されることはない。本発明における貨幣処理機として、硬貨入金機を用いてもよく、また、入金機以外のものを用いてもよい。また、この際に、識別部４０により識別できなかった紙幣や、小切手等の有価証券以外に、硬貨（バラ硬貨、棒金硬貨）を手入力に基づいて入金してもよい。また、入金データを店舗サーバー１００や現金センター２００等の外部装置に送信するタイミングは、取引終了毎に送信することに限定されることはない。他のタイミングとして、入金データを記憶部５４で累積記憶し、取引数が所定数（例えば、３０取引）となれば、入金データを外部装置に送信するようになっていてもよい。また、入金データを記憶部５４で累積記憶し、一定時間毎に入金データを外部装置に送信するようになっていてもよい。また、入金データを記憶部５４で累積記憶し、上位装置等の外部装置からの指示に基づいて入金データを外部装置に送信するようになっていてもよい。このように、入金データをまとめて送信することにより、通信の負荷を低減することができる。また、店舗サーバー１００へ入金データを送信するタイミングと、現金センター２００へ入金データを送信するタイミングを異ならせてもよい。
【００９１】
また、識別部４０による識別に基づく入金データと、手入力に基づく入金データを上位装置等の外部装置へ区別して送信するとは、必ずしも、送信するタイミングやデータ構成を分けて送る必要はなく、タイミングやデータ構成が単一であっても、受けた側が分けて集計できるデータ内容であれば、「外部装置へ区別して送信する」という概念に含まれるものとする。
【００９２】
また、本発明では、貨幣処理機の代わりに、有価媒体の処理を行う有価媒体処理機を用いてもよい。このような有価媒体処理機は、図２等に示す紙幣入金機１と類似の構成となっているが、図２等に示す紙幣入金機１と異なる点としては、識別部４０により特定の種類の有価媒体（例えば、小切手等）が識別可能となっており、識別部４０により識別された第１の有価媒体および識別部４０により識別されていない第２の有価媒体がそれぞれ収納カセット７０に収納されるようになっている。また、このような有価媒体処理機では、第１の管理権限を有する管理者（例えば、店舗の店員）により、表示入力部５によって、収納カセット７０に収納された第２の有価媒体に関する情報が入力されるようになっている。そして、本発明による有価媒体処理機では、制御部５０は、識別部４０による第１の有価媒体の識別結果、および表示入力部５により入力された第２の有価媒体に関する情報を、第１の管理権限とは異なる第２の管理権限下（例えば、警備会社の管理権限下）の現金センター２００に送信するようになっている。
【００９３】
このような有価媒体処理機によれば、識別部４０による第１の有価媒体の識別結果、および表示入力部５により入力された第２の有価媒体に関する情報が、第１の管理権限とは異なる第２の管理権限下（例えば、警備会社の管理権限下）の現金センター２００に送信されるようになっているので、現金センター２００による、店舗の管理権限下の銀行口座への現金の振り込みを迅速に行うことができるようになる。また、現金センター２００において有価媒体処理機から送信された第２の有価媒体に関する情報と、実際に有価媒体処理機から回収されて現金センター２００に運ばれた第２の有価媒体とを照合することができるようになる。
【符号の説明】
【００９４】
１  紙幣入金機
１ａ  筐体
５  表示入力部
５ａ  モニタ
５ｂ  入力キー
６  プリンター
７  テンキー
８  カード読取部
１０  挟持搬送機構
２０  載置部
２５  受入部
２６  キッカローラ
２７ａ  フィードローラ
２７ｂ  ゲートローラ
３０  搬送部
３１  搬送ベルト
３２  搬送ローラ
３５  羽根車
３５ａ  羽根
４０  識別部
５０  制御部
５４  記憶部
５６  インターフェース部
６０  集積部
６２  前面シャッター部
６４  支持部
６５  リジェクト部
７０  収納カセット
７１  スリット開口部
７２  スリットシャッター部
７５  収納筐体
７６  把手
７７  扉
１００  店舗サーバー
１１０  本店サーバー
２００  現金センター
３００  銀行
【図１】
0005997947.tif 000002
【図２】
0005997947.tif 000003
【図３】
0005997947.tif 000004
【図４】
0005997947.tif 000005
【図５】
0005997947.tif 000006
【図６Ａ】
0005997947.tif 000007
【図６Ｂ】
0005997947.tif 000008
【図７Ａ】
0005997947.tif 000009
【図７Ｂ】
0005997947.tif 000010
【図７Ｃ】
0005997947.tif 000011
【図８】
0005997947.tif 000012